(57)【要約】      （修正有）【課題】電動及び足踏み両用脱水装置を提供する。【解決手段】脱水カゴ３０を回転駆動する脱水ユニット２０を備え、脱水カゴ３０はモップ脱水後の廃水を貯めるバケツ体内に収容される。脱水ユニット２０は、脱水カゴ３０の回転軸２２を備え、足踏み駆動アセンブリ２３の第一ペダル２３２の踏込動作により伝動部材２３１及び第一歯車部２２１を介して回転軸２２を回転駆動し、電気駆動アセンブリ２５は、伝動モーター２５１により第二歯車部２２２を介して回転軸２２を回転駆動する。マルチスライドスイッチ２５４のスライド位置Ｐ１,Ｐ２,Ｐ３により、第一ペダル２３２の踏込動作による回転軸２２の駆動と伝動モーター２５１による発電、伝動モーターによる回転軸２２の駆動、及び第一ペダル２３２よりも低い位置にあるスイッチによる伝動モーター２５１に起動操作を可能とする。【選択図】図２
0003209754.tif 000002
【実用新案登録請求の範囲】
【請求項１】
電動及び足踏み両用脱水装置であって、
バケツ体、脱水ユニット及び脱水カゴを備え、
上記バケツ体は、モップ脱水後の廃水を貯める水槽部及び凹槽部を備えて該凹槽部と該水槽部の間に防水区画を設け、
上記脱水ユニットは、該バケツ体の凹槽部に設置され、台体上に回転可能に枢着された回転軸を、足踏み駆動アセンブリ、第一タッチスイッチ、電気駆動アセンブリを備え、
上記回転軸は、第一歯車部及び第二歯車部を備え、
上記足踏み駆動アセンブリは、踏込動作を行う第一ペダルを備えて伝動部材を介して前記第一歯車部を駆動して上記回転軸に回転を伝動し、
該伝動部材は、台体に枢設されるウォームギア、該ウォームギアに嵌めて設置されるウォームギアスリーブ、該ウォームギアに嵌めて設置され該ウォームギアスリーブの下方に位置して設けられる弾性部材、及び該ウォームギアの一端に設置されて上記回転軸の第一歯車部に噛合って接続される伝動歯車を備え、
上記第一タッチスイッチは、該第一ペダルの下方に設置され、
上記電気駆動アセンブリは、伝動モーター、回路コントローラー、及びマルチスライドスイッチを備え、
該伝動モーターは、シャフト及び該シャフトの一端に設置されて上記回転軸の第二歯車部に噛合って接続する連動歯車を備え、
該回路コントローラーは、上記伝動モーター及び第一タッチスイッチに電気的に接続され、
上記マルチスライドスイッチは、該回路コントローラーに電気的に接続されて、電気駆動モードと足踏み駆動モードを切り替え可能とし、
さらに、回路コントローラーは外部電源に接続可能な充電コンセントと共に足踏み駆動モードで伝動モーターが生み出す電力を充電可能な蓄電池を備えた充電回路モジュールを設けた、
ことを特徴とする電動及び足踏み両用脱水装置。
【請求項２】
前記第一タッチスイッチは、第一ペダルと台体の間にレバーを備え、
該レバーと該第一ペダルの間の間隔距離は該第一ペダルと該台体の間の移動距離よりも小さくして、
該第一ペダルを押すことで該第一タッチスイッチを電気駆動モードをオンにする
ようにした ことを特徴とする請求項１に記載の電動及び足踏み両用脱水装置。
【請求項３】
前記マルチスライドスイッチは、第一スライド位置、第二スライド位置及び第三スライド位置に操作可能とし、それぞれ
足踏み駆動モード、第一ペダル操作による電気駆動モード及び第二ペダル操作による電気駆動モード壁切り替えするようにしたことを特徴とする請求項１に記載の電動及び足踏み両用脱水装置。
【請求項４】
前記電気駆動アセンブリは、第二ペダル及び第二タッチスイッチをさらに備え、
該第二ペダルは、前記台体上に設置されて、該第二ペダルの押し下げ操作する後板部の位置は該第二ペダルに対応すると共に前記第一ペダルの押し下げ操作する底面より低くして足上げ動作の負担を低減し、
該第二ペダルは、前板部及び後板部を備えると共に該第二タッチスイッチはレバーを備えてその位置を該前板部に対応せしめて、該第二ペダルが押されると第二タッチスイッチが作動して該回路コントローラーに電気的に接続され、電気駆動モードをオンにするようにしたことを特徴とする請求項１に記載の電動及び足踏み両用脱水装置。
【考案の詳細な説明】
【技術分野】
【０００１】
本考案は脱水装置に関し、特に電動及び足踏み両用脱水装置に関する。
【背景技術】
【０００２】
従来のモップ脱水装置の多くは、足踏み方式により脱水を行っている。
しかし、足踏み過程では、繰り返しペダルを踏まなければならないため、足に怪我を負っていたり、足に不自由があったりする使用者にとっては、極めて不便である。
【０００３】
よって、まったく新しく、しかも進歩性を備えた電動及び足踏み両用脱水装置の開発が待たれている。
本考案は、従来の足踏み式脱水装置の上記した欠点に鑑みてなされたものである。
【先行技術文献】
【特許文献】
【０００４】
【特許文献１】登録実用新案３１６２３５５号公報
【考案の概要】
【考案が解決しようとする課題】
【０００５】
本考案が解決しようとする課題は、電動及び足踏み両用脱水装置を提供することである。
【課題を解決するための手段】
【０００６】
上記課題を解決するため、本考案は下記の電動及び足踏み両用脱水装置を提供する。
電動及び足踏み両用脱水装置は、バケツ体、脱水ユニット及び脱水カゴを備え、
該バケツ体は、水槽部及び凹槽部を備え、該凹槽部と該水槽部は、防水区画を呈し、
該脱水ユニットは、該バケツ体の凹槽部に設置され、しかも該脱水ユニットは、台体、回転軸、足踏み駆動アセンブリ、第一タッチスイッチ及び電気駆動アセンブリを備え、
該回転軸は、該台体に枢設され、しかも該回転軸は、第一歯車部及び第二歯車部を備え、
該足踏み駆動アセンブリは、該回転軸の回転を駆動し、該足踏み駆動アセンブリは、伝動部材及び第一ペダルを備え、
該伝動部材は、該回転軸の第一歯車部に噛んで接続し、
該第一ペダルは、該伝動部材を駆動し、
該第一タッチスイッチは、該第一ペダルの下方に設置され、
該電気駆動アセンブリは、該回転軸の回転を駆動し、該電気駆動アセンブリは、伝動モーター、回路コントローラー、蓄電池及びマルチスライドスイッチを備え、
該伝動モーターは、該回転軸の第二歯車部に噛んで接続し、
該回路コントローラーは、該伝動モーター及び該第一タッチスイッチに電気的に連接し、
該蓄電池は、該回路コントローラーに連接し、
該マルチスライドスイッチは、該回路コントローラーに電気的に連接し、電気駆動モードと足踏み駆動モードを切り替え、
該脱水カゴは、該バケツ体の水槽部に設置され、しかも該回転軸の一端に連接される。
【考案の効果】
【０００７】
本考案の電動及び足踏み両用脱水装置は、電動及び足踏みの両用の脱水効果を達成することができる。
【図面の簡単な説明】
【０００８】
【図１】本考案による電動及び足踏み両用脱水装置の構造立体図である。
【図２】本考案による脱水ユニットと脱水カゴの組合せ立体図である。
【図３】本考案による第一ペダルと第二ペダルの配置模式図である。
【図４】本考案による脱水ユニットのマルチスライドスイッチが第一スライド位置に設定されている様子を示す作動模式図である。
【図５】本考案による脱水ユニットのマルチスライドスイッチが、第二スライド位置に設定されている様子を示す作動模式図である。
【図６】本考案による脱水ユニットのマルチスライドスイッチが第三スライド位置に設定されている様子を示す作動模式図である。
【考案を実施するための形態】
【０００９】
以下に図面を参照しながら本考案を実施するための最良の形態について詳細に説明する。
【実施例】
【００１０】
図１及び図２に示すように、本考案の電動及び足踏み両用脱水装置１は、バケツ体１０、脱水ユニット２０及び脱水カゴ３０を備える。
【００１１】
該バケツ体１０は、水槽部１０Ｕ及び凹槽部１０Ｃを備える。
【００１２】
該水槽部１０Ｕには、モップ脱水後の廃水を貯める。
【００１３】
該凹槽部１０Ｃと該水槽部１０Ｕは、防水区画を呈し、該水槽部１０Ｕ内の水の、該凹槽部１０Ｃへの進入を防止する。
【００１４】
該脱水ユニット２０は、該バケツ体１０の凹槽部１０Ｃに設置され、かつ、該脱水ユニット２０は、台体２１、回転軸２２、足踏み駆動アセンブリ２３、第一タッチスイッチ２４及び電気駆動アセンブリ２５を備える。
【００１５】
該回転軸２２は、該台体２１に枢設され、第一歯車部２２１及び第二歯車部２２２を備える。
【００１６】
該足踏み駆動アセンブリ２３は、伝動部材２３１、第一ペダル２３２及び弾性部材２３３を備え、該回転軸２２の回転を駆動する。
【００１７】
該伝動部材２３１は、該回転軸２２の第一歯車部２２１に噛合わされて接続する。
【００１８】
本実施形態において、該伝動部材２３１は、ウォームギア２３１Ｒ、ウォームギアスリーブ２３１Ｃ及び伝動歯車２３１Ｇを備える。
【００１９】
該ウォームギア２３１Ｒは、該台体２１に枢設される。
【００２０】
該ウォームギアスリーブ２３１Ｃは、該ウォームギア２３１Ｒに嵌めて設置される。
【００２１】
該伝動歯車２３１Ｇは、該ウォームギア２３１Ｒの一端に設置され、該回転軸２２の第一歯車部２２１に噛合って接続する。
【００２２】
該第一ペダル２３２は、該伝動部材２３１を駆動する。
【００２３】
本実施形態において、該第一ペダル２３２は該ウォームギアスリーブ２３１Ｃを押すことにより、該ウォームギア２３１Ｒを回転させ、該伝動歯車２３１Ｇの回転を連動する。
【００２４】
同時に、該第一歯車部２２１は、該伝動歯車２３１Ｇの回転連動を受けて回転し、こうして該回転軸２２の回転を駆動する。
【００２５】
該弾性部材２３３は、該ウォームギア２３１Ｒに嵌めて設置され、該ウォームギアスリーブ２３１Ｃの下方に位置する。
【００２６】
本実施形態において、該第一ペダル２３２が、下方へと該ウォームギアスリーブ２３１Ｃを押すと、該弾性部材２３３を圧縮し、該弾性部材２３３の回復弾発力は該ウォームギアスリーブ２３１Ｃ及び該第一ペダル２３２を復位させられる。
【００２７】
該第一タッチスイッチ２４は、該第一ペダル２３２の下方に設置される。
【００２８】
本実施形態において、該第一タッチスイッチ２４は、レバー２４Ｒを備え、該レバー２４Ｒは、該第一ペダル２３２と該台体２１の間に位置する。
【００２９】
この他、該レバー２４Ｒと該第一ペダル２３２の間には、間隔距離Ｇを備え、該第一ペダル２３２と該台体２１の間には、移動距離Ｄを備え、好ましくは、該間隔距離Ｇは、該移動距離Ｄより小さく、これにより該第一ペダル２３２が下方へと最低位置まで移動すると、該第一タッチスイッチ２４に触れて確実に起動することができる。
【００３０】
該電気駆動アセンブリ２５は、伝動モーター２５１、回路コントローラー２５２、蓄電池２５３及びマルチスライドスイッチ２５４を備え、前記回転軸２２の回転を駆動する。
【００３１】
該伝動モーター２５１は、該回転軸２２の第二歯車部２２２に噛合って接続する。
【００３２】
本実施形態において、該伝動モーター２５１は、シャフト２５１Ｓ及び連動歯車２５１Ｇを備える。
【００３３】
該連動歯車２５１Ｇは、該シャフト２５１Ｓの一端に設置され、該回転軸２２の第二歯車部２２２に噛合って接続する。
【００３４】
好ましくは、該伝動モーター２５１は、インバーターモーター或いはサーボモーターである。
【００３５】
該回路コントローラー２５２は、該伝動モーター２５１及び該第一タッチスイッチ２４に電気的に接続する。
【００３６】
本実施形態において、該回路コントローラー２５２は、回転速度コントロール回路モジュール２５２Ｖ及び充電回路モジュール２５２Ｃを備える。
【００３７】
該回転速度コントロール回路モジュール２５２Ｖは、該伝動モーター２５１の回転速度をコントロールし、好ましくは、該回転速度コントロール回路モジュール２５２Ｖは、定速制御回路を備える。
【００３８】
別種の実施形態中では、該伝動モーター２５１は、定速モーターで、これにより該回転速度コントロール回路モジュール２５２Ｖを省くことができる。
【００３９】
該充電回路モジュール２５２Ｃを用いて、該蓄電池２５３に対して充電を行う。
【００４０】
本実施形態において、該充電回路モジュール２５２Ｃは、充電コンセント２５２Ｐを備え、該充電コンセント２５２Ｐにより外部電源（図示なし）を連接し、該充電回路モジュール２５２Ｃは、該外部電源の電力を該蓄電池２５３に充電することができる。
【００４１】
この他、該充電回路モジュール２５２Ｃは、該伝動モーター２５１の足踏み駆動モード下で生み出される電力を該蓄電池２５３に充電できる。
【００４２】
該蓄電池２５３は、該回路コントローラー２５２に接続し、該伝動モーター２５１の駆動に必要な電力を提供する。
【００４３】
該マルチスライドスイッチ２５４は、該回路コントローラー２５２に電気的に連接し、電気駆動モードと足踏み駆動モードを切り替える。
【００４４】
本実施形態において、該マルチスライドスイッチ２５４は、第一スライド位置Ｐ１及び第二スライド位置Ｐ２を備える。
【００４５】
該第一スライド位置Ｐ１は、足踏み駆動モードに対応し、該マルチスライドスイッチ２５４が、該第一スライド位置Ｐ１に設定されている時には、足踏み駆動モードだけを使用することができる。
【００４６】
該第二スライド位置Ｐ２は、電気駆動モードに対応し、該マルチスライドスイッチ２５４が、該第二スライド位置Ｐ２に設定されている時には、電気駆動モードを使用することができる。
【００４７】
本実施形態において、該第一タッチスイッチ２４は、該第一ペダル２３２が押されると、電気駆動モードをオンにし、電気駆動モードがオンになると、該伝動モーター２５１の該連動歯車２５１Ｇは回転を開始し、該回転軸２２の回転を連動する。
【００４８】
但し、上述の該第一ペダル２３２が該第一タッチスイッチ２４を押して電気駆動モードをオンにする方式では、使用者の足が地面を離れなければ、スムーズに該第一ペダル２３２を踏むことはできない。
【００４９】
そのため、足を地面からあげられない使用者が、電気駆動モードをオンにすることができるように、本実施形態において、該電気駆動アセンブリ２５は、第二ペダル２５５及び第二タッチスイッチ２５６をさらに備える。
【００５０】
図３は、本考案による第一ペダルと第二ペダルの配置模式図である。
【００５１】
図２及び図３に示すように、該第二ペダル２５５は、該台体２１上に設置され、かつ、該第二ペダル２５５は、前板部２５５Ｆ及び後板部２５５Ｂを備える。
【００５２】
本実施形態において、該第二ペダル２５５の後板部２５５Ｂの位置は、該第一ペダル２３２の底面２３２Ｓより低いため、足をあげられない使用者が踏むのに便利である。
【００５３】
該第二タッチスイッチ２５６は、該第二ペダル２５５に対応し、かつ該第二タッチスイッチ２５６は、該回路コントローラーに電気的２５２に連接する。
【００５４】
本実施形態において、該第二タッチスイッチ２５６は、該第二ペダル２５５が押されると、電気駆動モードをオンにする。
【００５５】
好ましくは、該第二タッチスイッチ２５６は、レバー２５６Ｒを備え、該レバー２５６Ｒは、該前板部２５５Ｆの上方に位置する。
【００５６】
使用者が下方へと該後板部２５５Ｂを押すと、シーソーの原理により、該前板部２５５Ｆは上がり、該レバー２５６Ｒを押し、こうして電気駆動モードをオンにする。
【００５７】
また、該第二タッチスイッチ２５６と該第一タッチスイッチ２４の作動モードを区画するため、本実施形態において、該マルチスライドスイッチ２５４は、第三スライド位置Ｐ３をさらに備える。
【００５８】
該第三スライド位置Ｐ３は、電気駆動モードに対応するが、該第二スライド位置Ｐ２との相違点は、該第二ペダル２５５が該第二タッチスイッチ２５６を押すと、電気駆動モードをオンにする点である。
【００５９】
図１及び図２に示すように、該脱水カゴ３０は該バケツ体１０の水槽部１０Ｕに設置され、かつ該回転軸２２の一端に連接されるため、該回転軸２２が回転すると、該脱水カゴ３０はそれに従い回転する。
【００６０】
該脱水ユニット２０の作動方式を、以下に説明する。
【００６１】
図４は、本考案本考案による脱水ユニットのマルチスライドスイッチが第一スライド位置に設定されている様子を示す作動模式図である。
【００６２】
該マルチスライドスイッチ２５４が、該第一スライド位置Ｐ１に設定されている時には、足踏み駆動モードだけを使用することができる。
【００６３】
足踏み駆動モード下で、使用者は、上から下へと、該第一ペダル２３２を踏み、該ウォームギア２３１Ｒ及び該伝動歯車２３１Ｇの回転を駆動し、該回転軸２２及び該脱水カゴ３０の回転を連動する。
【００６４】
該回転軸２２が回転すると同時に、該連動歯車２５１Ｇの回転を連動し、該伝動モーター２５１は電力を発生し、該電力は、該充電回路モジュール２５２Ｃを経由して、該蓄電池２５３に充電される。
【００６５】
図５は、本考案による脱水ユニットのマルチスライドスイッチが、第二スライド位置に設定されている様子を示す作動模式図である。
【００６６】
該マルチスライドスイッチ２５４が、該第二スライド位置Ｐ２に設定されている時には、電気駆動モードを使用することができる。
【００６７】
電気駆動モード下で、使用者が下方へと該第一ペダル２３２を踏むと、該第一ペダル２３２は該第一タッチスイッチ２４の該レバー２４Ｒを押し、こうして電気駆動モードをオンにし、電気駆動モードがオンになると、該伝動モーター２５１の該連動歯車２５１Ｇは回転を開始し、該回転軸２２及び該脱水カゴ３０の回転を連動する。
【００６８】
図６は、本考案による脱水ユニットのマルチスライドスイッチが第三スライド位置に設定されている様子を示す作動模式図である。
【００６９】
該マルチスライドスイッチ２５４が、該第三スライド位置Ｐ３に設定されていると、電気駆動モードを使用することができる。
【００７０】
電気駆動モード下で、使用者が下方へと該第二ペダル２５５の該後板部２５５Ｂを踏むと、該第二ペダル２５５の該前板部２５５Ｆは上がり、該第二タッチスイッチ２５６の該レバー２５６Ｒを押す。
【００７１】
こうして、電気駆動モードをオンにし、電気駆動モードがオンになると、該伝動モーター２５１の該連動歯車２５１Ｇは回転を開始し、該回転軸２２及び該脱水カゴ３０の回転を連動する。
【００７２】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００７３】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００７４】
１  電動及び足踏み両用脱水装置
１０  バケツ体
１０Ｃ  凹槽部
１０Ｕ  水槽部
２０  脱水ユニット
２１  台体
２２  回転軸
２２１  第一歯車部
２２２  第二歯車部
２３  足踏み駆動アセンブリ
２３１  伝動部材
２３１Ｃ  ウォームギアスリーブ
２３１Ｇ  伝動歯車
２３１Ｒ  ウォームギア
２３２  第一ペダル
２３２Ｓ  底面
２３３  弾性部材
２４  第一タッチスイッチ
２４Ｒ  レバー
２５  電気駆動アセンブリ
２５１  伝動モーター
２５１Ｇ  連動歯車
２５１Ｓ  シャフト
２５２  回路コントローラー
２５２Ｃ  充電回路モジュール
２５２Ｖ  回転速度コントロール回路モジュール
２５２Ｐ  充電コンセント
２５３  蓄電池
２５４  マルチスライドスイッチ
２５５  第二ペダル
２５５Ｂ  後板部
２５５Ｆ  前板部
２５６  第二タッチスイッチ
２５６Ｒ  レバー
３０  脱水カゴ
Ｄ  移動距離
Ｇ  間隔距離
Ｐ１  第一スライド位置
Ｐ２  第二スライド位置
Ｐ３  第三スライド位置
【図１】
0003209754.tif 000003
【図２】
0003209754.tif 000004
【図３】
0003209754.tif 000005
【図４】
0003209754.tif 000006
【図５】
0003209754.tif 000007
【図６】
0003209754.tif 000008